(57)【要約】      （修正有）【課題】無線ヘッドセットにスタイラスを整合して、スタイラス及び無線ヘッドセットの両方の機能を備えることにより、スタイラスを使用しようとする場合、より見つけやすく、使用利便性が向上できる無線ヘッドセット装置を提供する。【解決手段】無線ヘッドセット装置は、ヘッドセット本体１、無線送受信装置３、スピーカーユニット２及びタッチ手段５を備える。ヘッドセット本体は中空体であり、無線送受信装置はヘッドセットの内部に収納される。スピーカーユニットはヘッドセット本体と接続され、無線送受信装置３と電気的に接続される。タッチ手段５はタッチ先端５１を有し、ヘッドセット本体に設けられる。【選択図】図１
0003171610.tif 000002
【実用新案登録請求の範囲】
【請求項１】
中空体であるヘッドセット本体と、
前記ヘッドセット本体の内部に収納される無線送受信装置と、
前記ヘッドセット本体と接続され、前記無線送受信装置と電気的に接続されるスピーカーユニットと、
前記ヘッドセット本体に設けられ、タッチ先端を有するタッチ手段と、
を備えることを特徴とする無線ヘッドセット装置。
【請求項２】
前記ヘッドセット本体は更に、前記無線送受信装置と電気的に接続されるマイクを備えることを特徴とする請求項１記載の無線ヘッドセット装置。
【請求項３】
前記スピーカーユニット及び前記マイクは前記ヘッドセット本体の両端にそれぞれ設けられることを特徴とする請求項２記載の無線ヘッドセット装置。
【請求項４】
前記タッチ手段は前記ヘッドセット本体に固定されることを特徴とする請求項１記載の無線ヘッドセット装置。
【請求項５】
前記タッチ先端は前記ヘッドセット本体から突出していることを特徴とする請求項４記載の無線ヘッドセット装置。
【請求項６】
前記タッチ先端は前記ヘッドセット本体の一端から突出していることを特徴とする請求項４記載の無線ヘッドセット装置。
【請求項７】
前記タッチ手段は前記ヘッドセット本体に着脱可能に設けられることを特徴とする請求項１記載の無線ヘッドセット装置。
【請求項８】
前記タッチ先端は前記ヘッドセット本体から突出していることを特徴とする請求項７記載の無線ヘッドセット装置。
【請求項９】
前記タッチ先端は前記ヘッドセット本体の一端から突出していることを特徴とする請求項７記載の無線ヘッドセット装置。
【請求項１０】
前記ヘッドセット本体は更に、前記タッチ手段を収納する収納部を備えることを特徴とする請求項７記載の無線ヘッドセット装置。
【請求項１１】
前記タッチ手段は前記ヘッドセット本体に伸縮可能に設けられることを特徴とする請求項１記載の無線ヘッドセット装置。
【請求項１２】
前記ヘッドセット本体は更に収納筒部を備え、
前記タッチ手段の前記タッチ先端は前記収納筒部の内部に移動可能に設けられ、
前記タッチ先端は前記収納筒部から引き伸ばすこと又は前記収納筒部に収めることを選択的にすることを特徴とする請求項１１記載の無線ヘッドセット装置。
【考案の詳細な説明】
【技術分野】
【０００１】
本考案は、無線ヘッドセットに関し、特に、スタイラス及び無線ヘッドセット機能を備え、且つ使用利便性を有する無線ヘッドセット装置に関するものである。
【背景技術】
【０００２】
科学技術の進歩により、様々なタイプや機能を備えた通信機材が日々革新されつつあり、機材の使用には、より便利、よりヒューマン、より多機能、より娯楽性を有するようになっている。通信機材の周辺設備の中で、ヘッドセットやイヤホンがよく利用されている。一般的に使用されるヘッドセット（やイヤホン）は、ヘッドセット本体（やイヤホン本体）及びヘッドセット本体の内部に設けられるスピーカーユニットで構成される。これにより、ＭＰ３プレイヤー、携帯電話、ＰＤＡ、ノートパソコンやタブレットＰＣ等、様々な電子製品に使用することができ、更にヘッドセット（やイヤホン）を使用者の耳に差し込みて耳に音声を直接に伝えるため、空気を介して音声を伝えることにより音声の明瞭度が低下することなく、外部環境からの影響を受けなく且つ外部環境に影響を及ばない状態で使用者がヘッドセット（やイヤホン）を介して電子製品からの音声情報を鮮明に聞くことができる。そのうち、マイク付き無線ヘッドセットは代表的な新規製品であり、特にワイヤレスブルートゥース（Ｗｉｒｅｌｅｓｓ Ｂｌｕｅｔｏｏｔｈ（登録商標））の技術の運用により携帯電話の無線通信品質をより安定且つ向上させ、使用者が無線ヘッドセットを耳に装着するだけで外部との通話が可能になることで、携帯電話の利便性を大幅に向上できるようになっている。
【０００３】
そして、科学技術の進歩に伴い電子製品の機能が革新されつつあり、且つ更なる利便性を図るように求められているため、電子周辺機器においても、マンマシンインタフェースの使用効率の向上が求められている。そのうち、タッチパネルはまさに高度のマンマシンインタフェースを有するものである。使用者の使用利便性を向上させるために、タッチパネルに対するタップ入力手段（やクリック入力手段）又は書き入力手段として、多くのタッチパネルにはスタイラス（以下、タッチ手段ともいう）を搭載するようになっている。
【考案の概要】
【考案が解決しようとする課題】
【０００４】
一般的なスタイラスは細長い棒状であるため、使用する際に見つけにくく且つ持ちにくい、といった不具合がある。
【課題を解決するための手段】
【０００５】
そこで、上記の課題を解決するために、本考案は、中空体であるヘッドセット本体と、前記ヘッドセット本体の内部に収納される無線送受信装置と、前記ヘッドセット本体と接続され、前記無線送受信装置と電気的に接続されるスピーカーユニットと、前記ヘッドセット本体に設けられ、タッチ先端を有するタッチ手段と、を備えることを特徴とする無線ヘッドセット装置を提供する。
【考案の効果】
【０００６】
本考案に係る無線ヘッドセット装置によれば、無線ヘッドセット機能のほかに、更にタッチ手段（例えば、スタイラス）をも備えることで、使用者がヘッドセット本体を持ちながらタッチ手段を操作することで、タッチ手段によりタッチパネルに対するタップ入力（やクリック入力）したり書き入力したりすることができる。
また、本考案において、スタイラスを無線ヘッドセットに整合しており、一般的には無線ヘッドセットが大きな体積を有して見つけやすく、且つ普段持って歩くものであるため、スタイラスを使用しようとする場合、見つけやすくて使用利便性を向上することができる。
【図面の簡単な説明】
【０００７】
【図１】本考案の実施例１に係る無線ヘッドセットを示す斜視図である。
【図２】本考案の実施例１に係る無線ヘッドセットを示す側面図である。
【図３】本考案の実施例２に係る無線ヘッドセットを示す斜視図である。
【図４】本考案の実施例３に係る無線ヘッドセットを示す斜視図である。
【図５】本考案の実施例３に係る無線ヘッドセットのその他の使用状況を示す斜視図である。
【考案を実施するための形態】
【０００８】
添付の図面を参照しながら、本考案の実施例について説明する。
【実施例１】
【０００９】
図１及び図２に示すように、本考案は無線ヘッドセット装置を提供する。説明の便宜のために、本実施例の無線ヘッドセット装置はマイクを備えるが、これに限られるものではなく、本考案の無線ヘッドセット装置はマイクを備えなくてもよい。
【００１０】
本考案の無線ヘッドセット装置は、ヘッドセット本体１、スピーカーユニット２、無線送受信装置３、マイク４及びタッチ手段（例えば、スタイラス）５を備える。ヘッドセット本体１は中空体であり、無線送受信装置３がヘッドセット本体１の内部に収納される。スピーカーユニット２はヘッドセット本体１と接続され、マイク４がヘッドセット本体１に設けられる。一般的に、スピーカーユニット２及びマイク４はヘッドセット本体１の両端にそれぞれ設置されるが、スピーカーユニット２及びマイク４の位置はこれに限られない。使用者の耳に差し込むために、スピーカーユニット２はヘッドセット本体１から突出した形状であるが、スピーカーユニット２の形状はこれに限られない。本考案の無線ヘッドセットは、インナーイヤー型（耳介に装着されるタイプ）、耳掛け式（頭部に装着されるタイプ）或いはその他の種類のヘッドセットであればよく、無線ヘッドセットの種類、タイプや形状は特に限られない。
【００１１】
スピーカーユニット２及びマイク４は無線送受信装置３に電気的に接続される。無線送受信装置３は無線送受信回路であり、ウォークマン（登録商標）などのポータブルプレーヤー、パーソナルコンピュータ、携帯電話、電話機器等の電子製品からの電子信号を（例えば、ブルートゥース通信、赤外線通信などの無線信号通信方式を介して）受信でき、受信した電子信号を音波信号に変換して、スピーカーユニット２へ伝送することで音声を発する。しかしながら、この種類の無線送受信装置３は周知のものであるため、ここでは詳しく説明しない。本考案の他の実施例において、無線ヘッドセットはマイク４を省略することが可能であり、即ち、マイクを備えていない無線ヘッドセットであってもよい。
【００１２】
タッチ手段５はヘッドセット本体１に固定又は着脱可能に設けられる。本実施例のタッチ手段５はヘッドセット本体１に固定されている。即ち、タッチ手段５は一体成形、接着或いは螺接等の方法でヘッドセット本体１に固定される。タッチ手段５の材質、形状及び寸法は制限されず、必要に応じて適当に変更することができる。タッチ手段５は柱状或いはその他の形状のタッチ先端５１を有し、タッチ先端５１がヘッドセット本体１から突出している。タッチ先端５１はヘッドセット本体１の一端（例えば、下端）から突出するのが好ましいが、これに限られない。タッチ先端５１の先端は特に限定されないが、タッチパネルに書く際にスムーズに動かせるように、通常、タッチ先端５１の先端を表面が滑らかな円弧型にすることができる。使用者がタッチ手段５のタッチ先端５１をタッチパネルに押し当てた時、CPUがその押し当てられた位置に基づいて指令を適当に出力する。
【００１３】
本考案の無線ヘッドセット装置は、無線ヘッドセットとしての機能の他に、スタイラス（タッチ手段５）をも備えるため、使用者がヘッドセット本体１をタッチ手段５の持ち手として使用し、ヘッドセット本体１を持ってタッチ手段５（のタッチ先端５１）を操作することで、タッチ手段５によりタッチパネルに対するタップ入力（やクリック入力）したり書き入力したりすることが可能となる。
【００１４】
本考案において、スタイラスを無線ヘッドセットに整合しており、一般的には無線ヘッドセットが大きな体積を有して見つけやすく、且つ普段持って歩くものであるため、スタイラスを使用しようとする場合、見つけやすくて使用利便性を向上することができる。
【実施例２】
【００１５】
図３に示すように、本考案の実施例２において、タッチ手段５がヘッドセット本体１に着脱可能に設けられる。即ち、ヘッドセット本体１にタッチ手段５を収納する収納部１１を有することにより、タッチ手段５がヘッドセット本体１に着脱可能に設けられることが可能となる。収納部１１はヘッドセット本体１の内部、或いはヘッドセット本体１に設けることが可能であるが、その位置及び方向が特に限定されず、必要に応じて適宜設計することができる。本実施例において、収納部１１がヘッドセット本体１の内部に設けられている。タッチ手段５はヘッドセット本体１の収納部１１に収納された場合、収納部１１とタッチ手段５との間には適度な緊密度を有することにより、タッチ手段５はヘッドセット本体１の収納部１１内に位置づけされ、タッチ先端５１は適度な長さでヘッドセット本体１から突出する。タッチ先端５１はヘッドセット本体１の一端（例えば下端）から突出するのが好ましい。使用者はヘッドセット本体１を持ってタッチ手段５のタッチ先端５１を操作することで、タッチ手段５によりタッチパネルにタップ入力（やクリック入力）したり書き入力したりすることが可能となる。また、タッチ手段５がヘッドセット本体１に着脱可能に設けられるため、タッチ手段５をヘッドセット本体１の収納部１１から抜き出して単独使用することも可能である。
【実施例３】
【００１６】
図４及び図５に示すように、本考案の実施例３において、タッチ手段５がヘッドセット本体１に伸縮可能に設けられる。即ち、ヘッドセット本体１は収納筒部５２を備える。収納筒部５２はヘッドセット本体１の内部或いは外部に設けられることができ、収納筒部５２及びタッチ先端５１の形状は特に限定されない。本実施例において、タッチ先端５１は円柱状であり、収納筒部５２はタッチ先端５１に対応する中空体の円柱状である。タッチ手段５のタッチ先端５１は収納筒部５２の内部に移動可能に設けられる。即ち、タッチ手段５のタッチ先端５１はヘッドセット本体１に伸縮可能に設けられるため、タッチ先端５１を収納筒部５２から引き伸ばすこと又は収納筒部５２に収めることを選択的にすることが可能となる。収納筒部５２とタッチ先端５１との間には適度な緊合度を有するため、タッチ先端５１が収納筒部５２内に位置づけされることができる。使用者がタッチ手段５を使用する際、タッチ先端５１を移動して収納筒部５２から引き伸ばして、タッチ手段５のタッチ先端５１によりタッチパネルにタップ入力（やクリック入力）したり書き入力したりすることが可能となる。一方、使用者がタッチ手段５を使用しない際、タッチ先端５１を移動して収納筒部２に収める。
【００１７】
本考案の他の実施例において、更に制御ユニット（図示せず）を備えてもよい。制御ユニットはタッチ先端５１に接続され、タッチ先端５１を移動して収納筒部５２から引き伸ばしたり収納筒部５２に収めたりするのに用いられる。また、タッチ先端５１を引き伸ばしたり収納筒部５２に収めたりする際に良い位置づけが得られるように、タッチ先端５１と収納筒部５２との間に位置づけ構造（図示せず）を適当に設けてもよい。
【符号の説明】
【００１８】
１      ヘッドセット本体
１１    収納部
２      スピーカーユニット
３      無線送受信装置
４      マイク
５      タッチ手段
５１    タッチ先端
５２    収納筒部
【図１】
0003171610.tif 000003
【図２】
0003171610.tif 000004
【図３】
0003171610.tif 000005
【図４】
0003171610.tif 000006
【図５】
0003171610.tif 000007